(57)【特許請求の範囲】
【請求項１】
互いに離間した複数の細長い縦部材（５）と、隣り合う縦部材（５）間を連結する横部材（６）とが、一平面内で一体的に形成される複数の第１プレート（２）と、第２プレート（３）と、
前記横部材（６）は、第１プレート（２）と、第２プレート（３）の横部材（６）どうしが、位置ずれするように形成され、両プレート（１）（２）が厚み方向へ積層されてなるコア（４）と、
前記コア（４）の各縦部材（５）の長手方向両側に配置された一対の入口タンク部（１３）と、出口タンク部（１４）と、を具備し、
前記入口タンク部（１３）の長手方向一方端部に外部と連通する冷却液（１７）の導入部（１５）が設けられるとともに、出口タンク部（１４）の長手方向一方端部に外部と連通する導出部（１６）が設けられ、
前記導入部（１５）から冷却液（１７）が入口タンク部（１３）を介してコア（４）の各縦部材（５）間の流路を流通するとともに、前記横部材（６）の位置で各プレート（２）（３）の厚み方向に蛇行するように流通し、前記出口タンク部（１４）を介して、導出部（１６）から排出され、
前記冷却液（１７）と被冷却体（１８）との間で熱交換する液冷ヒートシンクにおいて、
前記各縦部材（５）の長手方向の少なくても一方端部に、冷却液（１７）の流通を阻害する流通阻害ガイド（８）が一体的に形成され、
隣り合う各縦部材（５）間の流路で、その出口端から出口タンク部（１４）を介して、導出部（１６）までの流路長の長さが、より短い位置にある縦部材（５）の先端部に前記流通阻害ガイド（８）が設けられ、
前記流通阻害ガイド（８）は、各縦部材（５）の先端部のみが延長されて一体的且つ前記一平面内で平面的に傾斜して形成され、その傾斜位置に前記横部材（６）が存在しないように構成した阻害傾斜部（８ａ）からなることを特徴とする液冷ヒートシンク。
【請求項２】
請求項１に記載の液冷ヒートシンクにおいて、
前記流通阻害ガイド(8) が、各縦部材(5) に一体的に傾斜して形成される阻害傾斜部(8a) からなり、
前記入口タンク部(13) 側では、その先端部の向きを前記導入部(15) 側と反対方向に傾け、
前記出口タンク部(14) 側では、前記導出部(16) 側と反対方向に傾けたことを特徴とする液冷ヒートシンク。
【請求項３】
請求項１に記載の液冷ヒートシンクにおいて、
前記流通阻害ガイド(8) が、コア(4) の幅方向端部の縦部材(5) に一体的に設けられたＬ字状部(8b) からなり、
前記入口タンク部(13) 側では、Ｌ字状部(8b) の先端部が前記導入部(15) 側と反対方向に向けられ、
前記出口タンク部(14) 側では、前記導出部(16) 側と反対方向に向けられたことを特徴とする液冷ヒートシンク。
【請求項４】
請求項１〜請求項３のいずれかに記載の液冷ヒートシンクにおいて、
隣り合う各縦部材(5) 間の流路で、その出口端から出口タンク部(14) を介して、導出部(16) までの流路長が、長い位置にある各縦部材(5) に、冷却液(17) の流通促進用の促進傾斜部(9) が一体的に設けられ、
前記流通促進用の促進傾斜部(9) は、前記入口タンク部(13) 側では、その先端部の向きを前記導入部(15) 側に傾け、
前記出口タンク部(14) 側では、導出部(16) 側に傾けたことを特徴とする液冷ヒートシンク。
【請求項５】
請求項１〜請求項４のいずれかに記載の液冷ヒートシンクにおいて、
そのヒートシンクがコア(4) とケーシング(12) とからなり、
そのケーシング(12) は、少なくとも一方が凹陥して皿状に形成される第１ケーシング部材(10) と第２ケーシング部材(11) を有し、それらの外周が互いに整合してなり、
そのケーシング(12) 内部の幅方向両端部に一対の入口タンク部(13) と、出口タンク部(14) とを備え、両タンク部(13)(14) を除いた部分にコア(4) が配置されて、前記ケーシング(12) の外周の平坦部に被冷却体(18) を取り付けたことを特徴とする液冷ヒートシンク。
【請求項６】
請求項１〜請求項４のいずれかに記載の液冷ヒートシンクにおいて、
前記第１プレート(2) および第２プレート(3)の外周に、積層したときに互いに整合する枠部(19) が形成され、
その枠部(19) 内に入口タンク部(13) と、出口タンク部(14) と、前記導入部(15) と、導出部(16) とが一体的に設けられ、
前記第１プレート(2) と、第２プレート(3) と、枠部(19) を厚み方向へ積層して積層体(20) が形成され、
前記積層体(20)の積層方向両端が一対の端プレート(22)(23) により閉塞され、その端プレートには前記導入部(15) と導出部(16) の位置に整合する開口(21)が設けられ、少なくても一方の端プレート(22)(23) 上に被冷却体(18) を取り付けたことを特徴とした液冷ヒートシンク。
【発明の詳細な説明】
【技術分野】
【０００１】
本発明は、電子部品等の被冷却体を冷却するための液冷ヒートシンクに関するものであり、特に、ヒートシンク内部に設けられるコアに特徴を有するものに関する。
【背景技術】
【０００２】
電子部品を冷却するためのヒートシンクとして、図19もしくは図20に示すようなものが知られている。
このヒートシンク１は、矩形ケーシング12の内部にコア４が設けられるものである。
このコア４は、平坦な金属板のプレス成形により形成される一対の第１プレートと、第２プレートからなる積層体により構成されている。
夫々のプレートには、互いに離間して配置される複数の細長い縦部材５と、その隣合う縦部材５間を連結する図示しない横部材（図が煩雑になるため、省略）とが、一体的に形成されている。両プレートの各縦部材５は、それぞれが整合するように厚み方向へ積層されて、コア４が形成される。ケーシング12の内部は偏平に形成されており、そこにコア４が介装される。このケーシング12内に冷却液17が流入し、コア４の各縦部材５間を流通する。この時、横部材はお互いに重なり合わないように位置ずれしているため、縦部材５間を流通する冷却液は、横部材の存在により、上下に蛇行しながら流通することになる。
【０００３】
ケーシング12内部には、コア４の流通方向両端部に一対の入口タンク部13と出口タンク部14、その両タンク部13、14に通じて、外部と連通する導入部15と導出部16とが一体に設けられている。そして、導入部15と導出部16には図示しないパイプが挿通される。このようなケーシング12と、コア４が高温の炉内で一体的にろう付け固定され、ヒートシンク１が完成する。
ケーシング12外面には図示しない被冷却体（パワートランジスタ等の電子部品）が設置され、ケーシング12内部に冷却液17が流通され、被冷却体から生じる熱を冷却液17との間で熱交換するものである。
冷却液17はパイプを通じて導入部15から流入し、入口タンク部13を介してコア４の各流路に流通する。そして、コア４の各流路出口から出口タンク部14を介して導出部16に至り、パイプから排出される。
【発明の概要】
【発明が解決しようとする課題】
【０００４】
本発明者は実験によって、この種のヒートシンクは、縦部材５間に形成される流路の出口端から導出部16に近い流路と、導出部16から離れた流路とで、流量にバラつきができ、ヒートシンクの被冷却体を十分に冷却することができないことを確認した。
図19および図20には、縦部材５の各流路の出口端と、導出部16との距離に対する流量の関係を示している。これらの図において、縦部材５間の各流路の出口端から導出部16までの位置が、短い場所から長い場所に行くにつれて、流量が減少していることがわかる。
【０００５】
入口タンク部13から各縦部材５の出口端までは、液圧は一定の状態で保たれている。その出口端から導出部16までの流路長が短い場合、冷却液17は液圧が保たれた状態で導出部16まで流通することができるため、流量が減少することはない。しかしながら、流路長が長い場合、冷却液17の液圧は、その長さに比例して液圧が低下し、流量が減少していく。即ち、流路長の長い場所では圧力損失が生じ、流通抵抗が大きくなるため、流量にバラつきが生じると考えられる。
そこで、本発明はこの欠点を解決することを課題とする。
【課題を解決するための手段】
【０００６】
請求項１に記載の本発明は、互いに離間した複数の細長い縦部材（５）と、隣り合う縦部材（５）間を連結する横部材（６）とが、一平面内で一体的に形成される複数の第１プレート（２）と、第２プレート（３）と、
前記横部材（６）は、第１プレート（２）と、第２プレート（３）の横部材（６）どうしが、位置ずれするように形成され、両プレート（１）（２）が厚み方向へ積層されてなるコア（４）と、
前記コア（４）の各縦部材（５）の長手方向両側に配置された一対の入口タンク部（１３）と、出口タンク部（１４）と、を具備し、
前記入口タンク部（１３）の長手方向一方端部に外部と連通する冷却液（１７）の導入部（１５）が設けられるとともに、出口タンク部（１４）の長手方向一方端部に外部と連通する導出部（１６）が設けられ、
前記導入部（１５）から冷却液（１７）が入口タンク部（１３）を介してコア（４）の各縦部材（５）間の流路を流通するとともに、前記横部材（６）の位置で各プレート（２）（３）の厚み方向に蛇行するように流通し、前記出口タンク部（１４）を介して、導出部（１６）から排出され、
前記冷却液（１７）と被冷却体（１８）との間で熱交換する液冷ヒートシンクにおいて、
前記各縦部材（５）の長手方向の少なくても一方端部に、冷却液（１７）の流通を阻害する流通阻害ガイド（８）が一体的に形成され、
隣り合う各縦部材（５）間の流路で、その出口端から出口タンク部（１４）を介して、導出部（１６）までの流路長の長さが、より短い位置にある縦部材（５）の先端部に前記流通阻害ガイド（８）が設けられ、
前記流通阻害ガイド（８）は、各縦部材（５）の先端部のみが延長されて一体的且つ前記一平面内で平面的に傾斜して形成され、その傾斜位置に前記横部材（６）が存在しないように構成した阻害傾斜部（８ａ）からなることを特徴とする液冷ヒートシンクである。
【０００７】
請求項２に記載の本発明は、請求項１に記載の液冷ヒートシンクにおいて、
前記流通阻害ガイド(8) が、各縦部材(5)  に一体的に傾斜して形成される阻害傾斜部(8a) からなり、
前記入口タンク部(13) 側では、その先端部の向きを前記導入部(15) 側と反対方向に傾け、
前記出口タンク部(14) 側では、前記導出部(16) 側と反対方向に傾けたことを特徴とする液冷ヒートシンクである。
【０００８】
請求項３に記載の本発明は、請求項１に記載の液冷ヒートシンクにおいて、
前記流通阻害ガイド(8) が、コア(4) の幅方向端部の縦部材(5) に一体的に設けられたＬ字状部(8b) からなり、
前記入口タンク部(13) 側では、Ｌ字状部(8b) の先端部が前記導入部(15) 側と反対方向に向けられ、
前記出口タンク部(14) 側では、前記導出部(16) 側と反対方向に向けられたことを特徴とする液冷ヒートシンクである。
【０００９】
請求項４に記載の本発明は、請求項１〜請求項３のいずれかに記載の液冷ヒートシンクにおいて、
隣り合う各縦部材(5) 間の流路で、その出口端から出口タンク部(14) を介して、導出部(16) までの流路長が、長い位置にある各縦部材(5) に、冷却液(17) の流通促進用の促進傾斜部(9) が一体的に設けられ、
前記流通促進用の促進傾斜部(9) は、前記入口タンク部(13) 側では、その先端部の向きを前記導入部(15) 側に傾け、
前記出口タンク部(14) 側では、導出部(16) 側に傾けたことを特徴とする液冷ヒートシンクである。
【００１０】
請求項５に記載の本発明は、請求項１〜請求項４のいずれかに記載の液冷ヒートシンクにおいて、
そのヒートシンクがコア(4) とケーシング(12) とからなり、
そのケーシング(12) は、少なくとも一方が凹陥して皿状に形成される第１ケーシング部材(10) と第２ケーシング部材(11) を有し、それらの外周が互いに整合してなり、
そのケーシング(12) 内部の幅方向両端部に一対の入口タンク部(13) と、出口タンク部(14) とを備え、両タンク部(13)(14) を除いた部分にコア(4) が配置されて、前記ケーシング(12) の外周の平坦部に被冷却体(18) を取り付けたことを特徴とする液冷ヒートシンクである。
【００１１】
請求項６に記載の本発明は、請求項１〜請求項４のいずれかに記載の液冷ヒートシンクにおいて、
前記第１プレート(2) および第２プレート(3)の外周に、積層したときに互いに整合する枠部(19) が形成され、
その枠部(19) 内に入口タンク部(13) と、出口タンク部(14) と、前記導入部(15) と、導出部(16) とが一体的に設けられ、
前記第１プレート(2) と、第２プレート(3) と、枠部(19) を厚み方向へ積層して積層体(20) が形成され、
前記積層体(20)の積層方向両端が一対の端プレート(22)(23) により閉塞され、その端プレートには前記導入部(15) と導出部(16) の位置に整合する開口(21)が設けられ、少なくても一方の端プレート(22)(23) 上に被冷却体(18) を取り付けたことを特徴とした液冷ヒートシンクである。
【発明の効果】
【００１２】
本発明の液冷ヒートシンクは、隣り合う各縦部材５間の流路で、その出口端から出口タンク部14を介して、導出部16までの流路長の長さが、より短い位置にある縦部材５の先端部に前記流通阻害ガイド８を設けたから、ヒートシンク内の各部の冷却液の流量を均一に保つことができる。これは、隣り合う各縦部材５間の流路で、その出口端から出口タンク部14を介して、導出部16までの流路長の長さが、より短い位置では、その流路抵抗が他の位置のそれより小さくなり、その分だけ流量が多くなる。そこで流通阻害ガイド８によりその流量の増加を抑えるものである。
その流通阻害ガイド８は、各縦部材５の先端部のみが延長されて一体的且つ前記一平面内で平面的に傾斜して形成され、その傾斜位置に前記横部材６が存在しないように構成した阻害傾斜部8aからなるので、その構造が単純で製作容易で量産性のよいものとなる。
【００１３】
具体的には、各流路出口端から導出部16までの流路長の長さが、短い位置（流通抵抗が小さい位置）の阻害傾斜部8aは、冷却液流れに対して、流通抵抗を増加させる方向に傾斜している。このような阻害傾斜部8aをコア４の縦部材５に一体に設けた場合、ヒートシンク内の冷却液の流量を均一に保つことができる。
この阻害傾斜部8aに替えて、Ｌ字状に曲折したＬ字状部8bを設けても、同様の効果が得られる。
【００１４】
上記構成において、各流路出口端から導出部16までの流路長の長さが、長い位置（流通抵抗が大きくなる位置）の縦部材５に流通促進用の促進傾斜部９を設け、その先端部が、冷却液流れに対して、流通抵抗を減少する方向に傾斜している場合には、より確実にヒートシンク内の各部の冷却液の流量を均一に保つことができる。
【図面の簡単な説明】
【００１５】
【図１】本発明の第１実施例の液冷ヒートシンクの分解斜視図。
【図２】同ヒートシンク内部の平面図。
【図３】同ヒートシンクの図２のIII-III矢視断面略図。
【図４】同ヒートシンクについて、傾斜部8a、９が入口タンク部側に形成されたときの各部の傾斜向きの説明図。
【図５】同ヒートシンクの第２実施例であり、傾斜部8a、９が出口タンク部側に形成されたときの各部の傾斜向きを示す図。
【図６】本発明の第３実施例の液冷ヒートシンクについて、傾斜部8a、９が入口タンク部側に形成されたときの各部の傾斜向きの説明図。
【図７】同ヒートシンクの第４実施例であり、傾斜部8a、９が出口タンク部側に形成されたときの各部の傾斜向きの説明図。
【図８】同ヒートシンクの第５実施例であり、傾斜部8a、９が入口タンク部側と出口タンク部側に形成されたときの各部の傾斜向きの説明図。
【図９】同ヒートシンクの第６実施例であり、傾斜部8a、９が入口タンク部側と出口タンク部側に形成されたときの傾斜向きの説明図。
【図１０】本発明の第７実施例の液冷ヒートシンクの分解斜視図。
【図１１】同ヒートシンク内部の平面図。
【図１２】本発明の第８実施例の液冷ヒートシンクについて、Ｌ字状部8bが入口タンク部側に形成されたときの説明図。
【図１３】同ヒートシンクの第９実施例であり、Ｌ字状部8bが出口タンク部側に形成されたときの説明図。
【図１４】本発明の第１０実施例の液冷ヒートシンクについて、Ｌ字状部8bが入口タンク部側に形成されたときの説明図。
【図１５】同ヒートシンクの第１１実施例であり、Ｌ字状部8bが出口タンク部側に形成されたときの説明図。
【図１６】第１２実施例の内部平面図。
【図１７】第１３実施例の内部平面図。
【図１８】本発明の第１４実施例の液冷ヒートシンクの内部平面図。
【図１９】従来型液冷ヒートシンクの冷却液17の流入方向と流出方向が逆向きの場合の内部平面説明図であり、縦部材５の各流路の出口端と導出部16との距離に対する流量の関係を示した図。
【図２０】従来型液冷ヒートシンクの冷却液17の流入方向と流出方向が同一向きの場合の内部平面説明図であり、縦部材５と各流路の出口端と導出部16との距離に対する流量の関係を示した図。
【発明を実施するための形態】
【００１６】
（第１実施例）
次に、図面に基づいて本発明の実施の形態を説明する。
図１は、本発明の第１の実施例を示す分解斜視図であり、図２は、その組立てた内部の平面図であり、図３は、コア内部の構造を示す図２のIII−III矢視断面略図である。
このヒートシンク１は、ケーシング12と、その内部に介装されるコア４とからなる。
【００１７】
コア４は、図１および図２に示すごとく、一対の第１プレート２と、第２プレート３からなり、それぞれ平坦な金属板のプレス成形により形成される。夫々のプレートには、互いに離間した複数の細長い縦部材５と、隣合う縦部材５間にスリット７を形成するように連結する横部材６とが、一平面内で一体的に形成されている。
その横部材６どうしは、第１プレート２と、第２プレート３が積層されたときに、互いに位置ずれし、図３に示すように、冷却液が上下方向へ蛇行して流通するように配置される。両プレート２、３は縦部材５が整合するように厚み方向へ積層されて、コア４が形成される。
【００１８】
ケーシング12は、少なくとも一方が凹陥して浅い皿状に形成される一対の第１ケーシング部材10と、第２ケーシング部材11とからなる（この例では、両者とも凹陥している）。両ケーシング部材10、11の周縁部にはフランジが形成され、互いの開口が向き合うように、フランジを介して整合し、接合される。そのケーシング12内部は偏平に形成されており、そこにコア４が介装される。
【００１９】
そのコア４の各縦部材５の長手方向両端部に、一対の入口タンク部13と、出口タンク部14が互いに平行になるよう設けられ、入口タンク部13の長手方向一方の端部に外部と連通する冷却液の導入部15が設けられ、出口タンク部14には導出部16が、ケーシング12内部に一体に設けられている。図１に示す通り、導入部15と導出部16は、両タンク部13、14の長手方向に延在する方向に設けられている。
図４の説明図では、導入部15が左上に位置するとき、導出部16が左下に位置している関係になる。そして、導入部15と導出部16には、外部と連通する開口に図示しないパイプが接続される。ケーシング12の形状は、パイプ状の導入部15、導出部16を除き、平面矩形の偏平に形成されている。
コア４の各縦部材５間を流通する冷却液17の流量を均一化するために、各縦部材５には、その長手方向の一方端部に阻害傾斜部8aと、促進傾斜部９とが一体的に設けられている。
【００２０】
図４は、横部材６を省略し、縦部材５と、阻害傾斜部8a、促進傾斜部９のみ記載したコア４構造を示した平面図である。それらの両傾斜部8a、９は入口タンク部13側に設けられており、各プレートは積層方向に、縦部材５と、それら両傾斜部8a、９が互いに整合して積層される。
これら両傾斜部8a、９の先端部の傾斜方向は、各縦部材５の間に形成される流路の出口端から、出口タンク部14を介して、導出部16までの流路長の長さを基準に決定されている。導出部16までの流路長の長さが短い位置では、図１９に示すとおり、流通抵抗が小さいく、他の流路よりも冷却液が流れやすくなっている。それを抑制するため、その短い位置には、流通阻害用の阻害傾斜部8aが設けられている。その先端部はこの例では、導入部15側とは逆向きに傾斜されている。その傾斜により冷却液17はその位置で図４に示す回り込みが必要となり、流路抵抗を大きくする。
そして、長い位置に存在する流路では、流通抵抗が大きくなっているため、それを小さくするため、促進傾斜部９が設けられている。その先端部は導入部15側に傾斜されている。すると、冷却液17は促進傾斜部９に案内され、円滑に流路に導かれ、流通抵抗を小とする。
【００２１】
（第２実施例）
図５は、本発明の第２実施例で、図４の傾斜部８ａ，９を出口タンク部14側に設けたときのコア４構造を示している。
この例でも、導出部16までの流路長の長さが長い位置に、促進傾斜部９が設けられ、その先端部が導出部16側に傾斜され、短い位置には、阻害傾斜部8aが設けられ、その先端部が導出部16側とは逆向きに傾斜されている。
なお、縦部材５の長手方向の一端部のみに傾斜部を設ける替わりに、縦部材５の長手方向の両端部に促進傾斜部９と阻害傾斜部8aを設けることも可能である。即ち、図４と図５を結合することができる。
【００２２】
このように構成されるコア４とケーシング12の各接触部につき、ろう付け前に、ろう材を塗布し、高温の炉内で、一体的にろう付け固定する。
ろう材の塗布に替えて、コアを形成する第１プレート２と、第２プレート３、およびケーシング12を形成するケーシング部材10、11に使用される金属板にろう材を予め被覆したものを用いることもできる。
このように形成されたヒートシンクの外面の平坦部には、被冷却体18が伝熱性グリス等を介して、被着される。その内部を流通する冷却液17は導入部15から流入し、入口タンク部13を介してコア４の縦部材５間を流通し、出口タンク部14を介して導出部16に導かれ、排出される。この冷却液17と被冷却体18との間で熱交換される。
【００２３】
（第３実施例）
図６は本発明の第３実施例であり、それが第１実施例と異なる点は、冷却液17を排出する導出部16の向きが導入部15と反対位置にある点である。図６では、導入部15が左上に位置するとき、導出部16が右下に位置している。
そして、入口タンク部13側に阻害傾斜部8aと、促進傾斜部９を設けている。この場合も各流路の出口と導出部16との流路長の長さが長い位置には、促進傾斜部９が設けられ、その先端部が導入部15側に傾斜され、短い位置には、阻害傾斜部8aが設けられ、その先端部が導入部15側とは逆向きに傾斜されている。これは、図20の各部の流路の流量の不均一を解消するものである。
【００２４】
（第４実施例）
図７は本発明の第４実施例であり、第３実施例との違いは、出口タンク部14側に阻害傾斜部8aと、促進傾斜部９を設けたものである。
第７実施例においても、縦部材５の長手方向一端部のみに阻害傾斜部8aと、促進傾斜部９を設けるだけでなく、その両端部に設けることも可能である。即ち、図６と図７とを結合することができる。
【００２５】
（変形例）
前記各実施例では、両タンク部13、14の長手方向長さが短い位置で、阻害傾斜部8aのみ採用し、長い位置の促進傾斜部９を省くこともできる。
（第５実施例，第６実施例）
また、図８は本発明の第５実施例であり、図９は第６実施例である。これらに示すように、阻害傾斜部8aと、促進傾斜部９をコア４の長手方向両端のみに設け、中間部分を真っ直ぐな縦部材５のみで設けても良い。
【００２６】
（第７実施例）
図10は本発明の第７実施例であり、この例は、先の実施例のケーシング12の代わりに、金属板のプレス成形により、コア４の外周に枠部19を一体的に設ける。そして、その枠部19の内部に入口タンク部13と、出口タンク部14と、導入部15並びに導出部16を一体的に設けたものである。そのコア４部の構成と導入部15、導出部16の位置関係は、第１実施例および第２実施例と変わるところはない。
【００２７】
図10、図11のごとく、第１プレート２と第２プレート３が、それらに一体的に形成された枠部19とともに積層され、積層体20が形成される。その積層体20の積層方向両端部には、一対の端蓋22、23が被嵌されて、閉塞される。端蓋22、23の一方側には、導入部15と導出部16とに整合する位置に、パイプ24を接続するための開口21が穿設されている。
このようなヒートシンクが高温の炉内で一体的にろう付けされ、その後、端蓋上に被冷却体18を配置するものである。
このような構造は、前述の各実施例に適用できる。
【００２８】
（第８実施例）
図12は本発明の第８実施例であり、この例は第１実施例の変形例である。
この例が第１実施例と異なる点は、流通阻害ガイド８として用いた阻害傾斜部8aをＬ字状部8bに替えた点、および促進傾斜部９を設けていない点である。
図12に示すごとく、このＬ字状部8bは、縦部材５の一端に水平材を一体に突設したものである。Ｌ字状部8bを構成する水平材は、複数の流路を覆うように形成されている。そして、Ｌ字状部8bの水平材は、各縦部材５の間に形成される流路の出口端から、導出部16までの流路長の長さが、一番短い位置ある縦部材５（導出部16に隣接する位置にある縦部材５）のみに形成され、その先端部の向きが導入部15側と逆向きに形成されている。
【００２９】
また、その水平材の先端部と、隣接する位置にある縦部材５との間に形成される流通路の入口端との隙間は、他の縦部材５間の流通路の間隔に比べ、広く形成されている。さらに、Ｌ字状部8bと、その水平材の先端部と隣接する位置にある縦部材５との間に囲まれた位置にある縦部材５の長手方向の長さは、他の縦部材５より短く形成されており、その長手方向先端部とＬ字状部の水平材との間にタンク部のような空間を形成している。その囲まれた部分の縦部材５間にも、冷却液17を流通させるためのものである。
冷却液17は、このように形成されるＬ字状部8bの水平材を迂回しなければならないため、Ｌ字状部8bが形成されている部分には流通しにくくなる。そのため、図19の不均一流通の問題を解決して、各流路の流量が均一になる。
【００３０】
（第９実施例）
図13は、そのＬ字状部8bを出口タンク部14側に設けたものである。このＬ字状部8bの横部材の先端部は導出部16側と逆向きに形成されている。また、縦部材５の長手方向両端部にＬ字状部8bを設け、流通阻害ガイド８としても良い。即ち、図12と図13とを結合することもできる。
【００３１】
（第１０実施例，第１１実施例）
図14および図15は、本発明の第１０，第１１実施例である。
図14の例は、Ｌ字状部8bを入口タンク部13に設ける場合である。Ｌ字状部8bの水平材は、導出部16までの流路長の長さが、短い位置ある縦部材５に形成され、その先端向きは導入部15側と逆向きに形成されている。
【００３２】
図15の例は、Ｌ字状部8bを出口タンク部14に設ける場合である。Ｌ字状部8bの水平材は、導出部16までの流路長の長さが、一番短い位置ある縦部材５に形成され、その先端向きは導出部16側と逆向きに形成されている。
そしてこれの実施例においても、各Ｌ字状部8bを組合わせることができる。
【００３３】
（第１２実施例，第１３実施例）
図16および図17のごとく、阻害傾斜部8aや、促進傾斜部９をＬ字状部8bに組合わせてコア４を形成することもできる。
【００３４】
（第１４実施例）
図18の例では、各プレートの外周に枠部19を形成し、Ｌ字状部8bの水平材が枠部19と一体形成されている。
【００３５】
なお、上述した実施例について、コア４の各端部、即ち、縦部材５の長手方向両端部、阻害傾斜部8aの先端部、促進傾斜部９の先端部、Ｌ字状部8bの水平材を、入口タンク部13および出口タンク部14に侵入しないように構成することができる。
【符号の説明】
【００３６】
１  ヒートシンク
２  第１プレート
３  第２プレート
４  コア
５  縦部材
６  横部材
７  スリット
８  流通阻害ガイド
8a  阻害傾斜部
8b  Ｌ字状部
９  促進傾斜部
【００３７】
10  第１ケーシング部材
11  第２ケーシング部材
12  ケーシング
13  入口タンク部
14  出口タンク部
15  導入部
16  導出部
17  冷却液
18  被冷却体
【００３８】
19  枠部
20  積層体
21  開口
22  端プレート
23  端プレート
24  パイプ
【図１】
0006006480.tif 000002
【図２】
0006006480.tif 000003
【図３】
0006006480.tif 000004
【図４】
0006006480.tif 000005
【図５】
0006006480.tif 000006
【図６】
0006006480.tif 000007
【図７】
0006006480.tif 000008
【図８】
0006006480.tif 000009
【図９】
0006006480.tif 000010
【図１０】
0006006480.tif 000011
【図１１】
0006006480.tif 000012
【図１２】
0006006480.tif 000013
【図１３】
0006006480.tif 000014
【図１４】
0006006480.tif 000015
【図１５】
0006006480.tif 000016
【図１６】
0006006480.tif 000017
【図１７】
0006006480.tif 000018
【図１８】
0006006480.tif 000019
【図１９】
0006006480.tif 000020
【図２０】
0006006480.tif 000021